(57)【特許請求の範囲】
【請求項１】
掛止部を有するハウジングと、固定部を有するアクチュエータとの組合せから成るＦＰＣコネクタであって、
ハウジングは、正面および上面が開放された箱体であり、内底面にＦＰＣのランドパタンに接触させるコンタクトが前後方向に上傾または下傾姿勢で付され、
アクチュエータは、ハウジングに対し正面側から起倒可能で、且つハウジングの底面に沿って前後方向にスライド可能に結合され、アクチュエータに差し込まれたＦＰＣを保持してこれをハウジングに圧着させるものであり、
ハウジングの掛止部は、アクチュエータの固定部を受け入れる垂直溝部分と、垂直溝部分に連通してアクチュエータの固定部をハウジングの正面側方向に誘導する水平溝部分とを有する切欠きであり、ハウジングの両側壁に形成され、ハウジング上に倒され、ハウジングの正面側方向にスライドされたアクチュエータを受け入れてアクチュエータをハウジングに掛止させる部分であり、
アクチュエータの固定部は、ＦＰＣを支えてハウジングの掛止部に保持させる部分であり、保持部を有し、
保持部は、アクチュエータの起立姿勢で、ＦＰＣの両耳部を受け入れ、切欠きの垂直溝部分を通して水平溝部分内に受け入れられ、アクチュエータをハウジングにロックさせるものであり、
ＦＰＣは、ハウジングのコンタクトに接触させるランドパタンを有し、両側に突出する耳部を有し、耳部は、アクチュエータの固定部に保持された状態で、ハウジングの掛止部に固定されるものであることを特徴とするＦＰＣコネクタ。
【請求項２】
ハウジングは、リブ穴を有し、
リブ穴は、アクチュエータの両側に張り出したリブを受け入れ、切欠きの垂直溝部分に嵌合されたアクチュエータの固定部を水平溝部分に沿ってロック位置にまで変位させるに必要な長さの横長の穴であることを特徴とする請求項１に記載のＦＰＣコネクタ。
【請求項３】
アクチュエータの固定部はストッパを有し、
ストッパは、ハウジングの側壁に当接してアクチュエータの固定部がハウジングの掛止部の水平溝部分内でロックされる正規の位置に受け入れられたことを表示するものであることを特徴とする請求項１に記載のＦＰＣコネクタ。
【請求項４】
ストッパは、アクチュエータの固定部の後縁より上方に張り出して形成され、ハウジングの掛止部の垂直溝部分の壁面に当接して位置決めされるものであることを特徴とする請求項３に記載のＦＰＣコネクタ。
【発明の詳細な説明】
【０００１】
【発明の属する技術分野】
本発明は、携帯電話機などの電気機器装置に使用するフレキシブルプリント基板（ＦＰＣという）を電気機器の回路基板に接続するＦＰＣコネクタに関する。
【０００２】
【従来の技術】
ＦＰＣを接続するための電気コネクタとしてのＦＰＣコネクタが広く用いられている。図５に一般的なＦＰＣコネクタの１例を示す。図５（ａ）において、ＦＰＣコネクタは、ＦＰＣを挿入するハウジング（インシュレータ）２１と、ハウジング２１に起倒可能に枢支され、ハウジング２１に挿入されたＦＰＣ２２をハウジング２１に押さえつけて固定するアクチュエータ２３との組み合わせからなるものである。
【０００３】
ハウジング２１は、正面および上面が開放された有底の箱型であり、内底部には、ハウジング２１の前後方向に上傾又は下傾するコネクタのコンタクト２４が付され、アクチュエータ２３は、図５（ｂ）に示すように正面開放縁に向けてハウジング２１内に起倒可能に枢支されているものである。以下、説明の都合上、この形式のコネクタを開閉式コネクタという。
【０００４】
アクチュエータ２３は板状であり、両側面の後縁寄りには、ハウジング２１のリブ穴２５に枢支させるリブ２６が突設され、前縁側には、ハウジング２１の凹部２７に係止させる突出部２８が設けられている。一方、ハウジング２１には、図５（ｃ）に示すように、アクチュエータ２３のリブ２６を受け入れるリブ穴２５と、アクチュエータ２３の突出部２８  を受け入れる凹部２７が両側の立ち上がり部の後部と、開口側の前部寄りにそれぞれ設けられているものである。
【０００５】
ハウジング２１内に差し込まれるＦＰＣ２２には、図５（ｄ）に示すように前記コンタクト２４と対応する位置にランドパタン２９を有している。このＦＰＣコネクタにＦＰＣ２２を接続するときには、まず、リブ２６を中心にアクチュエータ２３を起立させてハウジング２１を開放した状態で、図５（ｅ）のようにＦＰＣ２２をハウジング２１内に正面から差込み、次いで図５（ｆ）のようにアクチュエータ２３を矢印Ｃの方向に回転させてＦＰＣ２２上に倒し、アクチュエータ２３の突出部２８をハウジング２１の凹部２７に嵌合させることによって、アクチュエータ２３をロックし、ＦＰＣ２２のランドパタン２９をコンタクト２４に接触させるものであった。
【０００６】
【発明が解決しようとする課題】
したがって、このような開閉式コネクタにおいては、ＦＰＣ２２のランドパタン２９を圧接させる力は、アクチュエータ２３の突出部２８がハウジング２１の凹部２７に嵌合することによってＦＰＣ２２に作用する摩擦力だけであったため、開閉式コネクタの第１の問題としてＦＰＣがコネクタの正面側（図５（ｆ）に示す矢印Ｆの方向）に引っ張られると、その力を受けてアクチュエータが開いてＦＰＣが抜けやすいという問題があった。
【０００７】
また、開閉式コネクタの第２の問題として、ＦＰＣのランドパタン２９または、コンタクト２４上に異物が付着したときには、ランドパタン２９と、コンタクト２４とは、間に異物が挟まったまま圧着されることになって、電気的な接触不良を誘発するという問題が生ずる。
【０００８】
図６に示す実開平１１−２２４７４６号公報（先行例１）は、開閉式のコネクタについて上記問題に着目されたものである。図６（ａ）は、アクチュエータを倒した状態、（ｂ）は、アクチュエータを起立させた状態を示している。図６において、絶縁体（ハウジング）３１の係合孔（固定手段）３２を嵌合口側寄りに設け、この係合孔（固定手段）３２が設けられた位置にＦＰＣ押さえ板（アクチュエータ）３３の係合軸３４を設けることによって、ＦＰＣ３５が引っ張られても押さえ板３３が回転することがなく、したがってＦＰＣ３５が抜けることがない電気コネクタを提案している。確かに先行例１によれば、前記第１の問題点の解決が意識されているものの、その保持力は、もっぱら摩擦抵抗力だけに依存しているため、必ずしもＦＰＣ３５の抜け止めが保証されるわけではない。また、第２の問題点については、全く意識されていない。
【０００９】
本発明の目的は、開閉式コネクタについて、上記問題点、すなわち、ＦＰＣが抜け出さず、しかも、ＦＰＣのランドパタンと、ハウジングのコンタクト間に異物が挟み込まれないＦＰＣコネクタを提供することにある。
【００１１】
【課題を解決するための手段】
上記目的を達成するために本発明によるＦＰＣコネクタにおいては、掛止部を有するハウジングと、固定部を有するアクチュエータとの組合せから成るＦＰＣコネクタであって、
ハウジングは、正面および上面が開放された箱体であり、内底面にＦＰＣのランドパタンに接触させるコンタクトが前後方向に上傾または下傾姿勢で付され、
アクチュエータは、ハウジングに対し正面側から起倒可能で、且つハウジングの底面に沿って前後方向にスライド可能に結合され、アクチュエータに差し込まれたＦＰＣを保持してこれをハウジングに圧着させるものであり、
ハウジングの掛止部は、アクチュエータの固定部を受け入れる垂直溝部分と、垂直溝部分に連通してアクチュエータの固定部をハウジングの正面側方向に誘導する水平溝部分とを有する切欠きであり、ハウジングの両側壁に形成され、ハウジング上に倒され、ハウジングの正面側方向にスライドされたアクチュエータを受け入れてアクチュエータをハウジングに掛止させる部分であり、
アクチュエータの固定部は、ＦＰＣを支えてハウジングの掛止部に保持させる部分であり、保持部を有し、
保持部は、アクチュエータの起立姿勢で、ＦＰＣの両耳部を受け入れ、切欠きの垂直溝部分を通して水平溝部分内に受け入れられ、アクチュエータをハウジングにロックさせるものであり、
ＦＰＣは、ハウジングのコンタクトに接触させるランドパタンを有し、両側に突出する耳部を有し、耳部は、アクチュエータの固定部に保持された状態で、ハウジングの掛止部に固定されるものである。
【００１４】
また、ハウジングは、リブ穴を有し、
リブ穴は、アクチュエータの両側に張り出したリブを受け入れ、切欠きの垂直溝部分に嵌合されたアクチュエータの固定部を水平溝部分に沿ってロック位置にまで変位させるに必要な長さの横長の穴である。
【００１５】
また、アクチュエータの固定部はストッパを有し、
ストッパは、ハウジングの側壁に当接してアクチュエータの固定部がハウジングの切欠きの水平溝部分内でロックされる正規の位置に受け入れられたことを表示するものである。
【００１６】
また、ストッパは、アクチュエータの固定部の後縁より上方に張り出して形成され、ハウジングの掛止部の垂直溝部分の壁面に当接して位置決めされるものである。
【００１７】
【発明の実施の形態】
以下に本発明の実施の形態を図によって説明する。図１において、本発明によるＦＰＣコネクタは、インシュレータであるハウジング１と、アクチュエータ２との組合せからなっている点は従来の開閉式コネクタと同じである。本発明においては、アクチュエータ２は、ハウジング１に起倒ならびにハウジングの前後方向にスライド可能に連結されている。図２（ａ）はハウジング、図２（ｂ）はアクチュエータ、図２（ｃ）はＦＰＣを示している。ハウジング１は、正面および上面が開放された有底の箱体であり、内底面には、コンタクト５が長さ方向に上傾又は下傾姿勢で付されている。
【００１８】
コンタクト５は、ＦＰＣ３のランドパタン４に接触させるためのものである。アクチュエータ２は、ハウジング１に差し込まれたＦＰＣ３を支えてこれをハウジング１に圧着させるものである。ＦＰＣ３は、基板の下面にランドパタン４が付され、基板の一部両側に張り出して耳部８が設けられている。
【００１９】
ハウジング１の立ち上がり部である両側壁部分には、掛止部６が形成され、アクチュエータ２には、固定部７が設けられている。掛止部６は、ハウジング１上に倒されたアクチュエータ２を受け入れてハウジング１に掛止させる部分であり、ハウジング１の両側壁に形成された切欠きである。
【００２０】
掛止部６は、ハウジング１の側壁立ち上がり部分のほぼ中央部分に開口された垂直溝部分６ａと、垂直溝部分６ａから正面側に向けて伸びる水平溝部分６ｂとからなっている。垂直溝部分６ａは、アクチュエータ２の固定部７を掛止部６内に受け入れる部分であり、水平溝部部分６ｂは、垂直溝部分６ａに連通し、掛止部６内に受入れられたアクチュエータ２の固定部７をハウジング１の内底面に沿って箱体の正面開口部の方向に誘導する部分である。アクチュエータ２の固定部７は、ＦＰＣ３の両側に形成された耳部８を嵌合保持する部分である。
【００２１】
ハウジング１は、両側壁の後部内面にリブ穴９を有している。リブ穴９は、アクチュエータ２の後部両側に突設されたリブ１０を受け入れ、掛止部６の垂直溝部分６ａに受入れたアクチュエータ２の固定部７を水平溝部分６ｂに沿って一定の範囲にわたり変位させるに必要な長さの横長の穴である。
【００２２】
図３（ａ）において、本発明のＦＰＣコネクタに、ＦＰＣ３を接続する場合には、ます、アクチュエータ２を矢印Ｐにて示す上傾方向に回動させてハウジング１に対し一定の角度の起立姿勢に保持し、その状態でＦＰＣ３の両耳部８をアクチュエータの固定部７に差し込む。次に、図３（ｂ）に示すように、アクチュエータ２を矢印Ｃにて示す下向きに回動させてハウジング１上に押し下げ、アクチュエータ２の固定部７をハウジング１の掛止部６内に垂直溝部分６ｂを通して嵌合させる。
【００２３】
これによって、ＦＰＣに付されたランドパタン４は、図３（ｃ）のように、ハウジング１の底面に付されたコンタクト５に接触する。次に図３（ｄ）のように、アクチュエータ１の天面部を矢印Ｓの方向に押しながらアクチュエータ２をハウジング１の正面開口方向にスライドさせる。
【００２４】
これによって、アクチュエータ２の固定部７は、ハウジング１の掛止部６の水平溝部分６ｂを移動し、その内端に達してロックされる。ＦＰＣ３のランドパタン４は、ハウジング１のコンタクト５上を滑りながらその傾斜面を移動し、アクチュエータ２から加えられる圧力により、図３（ｅ）のようにコンタクト５に圧着され、コンタクト５と、ランドパタン４とが電気的に導通する。このように、アクチュエータ２をハウジング１に重ね合わせた状態で相対変位させるため、ＦＰＣ３のランドパタン４または、ハウジング１のコンタクト５の面のいずれかに異物が付着していても、ドパタン４とコンタクト５間の摩擦力で除去されて電気的な導通が確保される。
【００２５】
図４は、アクチュエータ２の固定部７にストッパ１１を一体に設けた例である。この実施形態において、ストッパ１１は、図４（ａ）のようにアクチュエータ２の固定部７の後縁より上方に張り出して形成されている。アクチュエータ２にＦＰＣ３を保持させてこれを矢印Ｃの方向に回転させてハウジング１上に押し下げると、図４（ｂ）のように固定部７は掛止部６に受入れられるが、ストッパ１１は、掛止部６の水平溝部分６ｂ上に張り出す。
【００２６】
ついでアクチュエータ２を矢印Ｓの方向にスライドさせたときに、ストッパ１１は、ハウジング１の垂直溝部分６ａの内壁面に当接して位置決めされ、アクチュエータ２の固定部７が掛止部６の水平溝部分６ｂ内で正規の位置に受け入れられたことがストッパ１１によって表示される。すなわち、ストッパ１１は、アクチュエータがロックされていることを表示するものである。
【００２７】
【発明の効果】
以上のように本発明によれば、起立姿勢のアクチュエータにＦＰＣを保持させ、アクチュエータをハウジング上に倒し、次いで、アクチュエータをハウジングと平行にスライドさせてロックするため、ＦＰＣが強い引っ張り力を受けてもコネクタから抜け出すことがない。
【００２８】
また、ＦＰＣ実装したアクチュエータをスライドしながら、ハウジングとロックさせるため、接触の安定性に欠けるＺＩＦ構造のコネクタでも、ワイピング効果を得ることができ、ＦＰＣのランドパタンあるいはハウジングのコンタクトに異物が付着していても相互のすり合わせによる摩擦力によって、異物を除去し、電気的導通を確保することができる。
【００２９】
さらに、本発明によるときには、ＦＰＣの両耳部を把持させたアクチュエータの固定部のスライド長さは、ハウジングの掛止部の水平溝部分の長さに規制されるため、コンタクトに対するＦＰＣの挿入長さを一定に保持することができ、ＦＰＣに負荷がかからず、したがって、パタン断線などの不具合をなくすことができる効果を有する。
【図面の簡単な説明】
【図１】本発明によるＦＰＣコネクタの第１の実施形態を示す斜視図である。
【図２】（ａ）〜（ｃ）は、本発明による第１の実施形態のＦＰＣコネクタの分解図と、ＦＰＣを示す図である。
【図３】（ａ）〜（ｅ）は、ＦＰＣコネクタにＦＰＣを接続する要領を示す図である。
【図４】本発明によるＦＰＣコネクタの第２の実施形態を示すもので、（ａ）は、アクチュエータを開いた状態、（ｂ）は閉じた状態を示す図である。
【図５】（ａ）〜（ｆ）は、従来の開閉式ＦＰＣコネクタと、ＦＰＣコネクタにＦＰＣを接続する要領を示す図である。
【図６】（ａ）、（ｂ）は、従来の開閉式ＦＰＣコネクタの改良例を示す図である。
【符号の説明】
１  ハウジング
２  アクチュエータ
３  ＦＰＣ
４  ランドパタン
５  コンタクト
６  掛止部
６ａ  垂直溝部分
６ｂ  水平溝部分
７  固定部
８  耳部
９  リブ穴
１０  リブ
１１ストッパ
【図１】
0003576981.tif 000002
【図２】
0003576981.tif 000003
【図３】
0003576981.tif 000004
【図４】
0003576981.tif 000005
【図５】
0003576981.tif 000006
【図６】
0003576981.tif 000007